【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、前記基地局は、各トランスポートチャネルのデータに対して、送信レートを変更するレートマッチングを行う符号分割多元接続(CDMA)通信システムの通信チャネル設定方法において、
各トランスポートチャネルのレートマッチング比を制御するレートマッチングパラメータとレートマッチング前の各トランスポートチャネルの無線フレーム当たりのビット数とを乗算し、前記複数のトランスポートチャネルの組み合わせによって構成される複数の前記トランスポートチャネル複合体の速度推定量をそれぞれ求め、前記速度推定量の最大値を決定する第１のステップと、
前記速度推定量の最大値に対する前記最大物理レートの比を求める第２のステップと、
前記第２のステップにより求められた比と各トランスポートチャネルに対する前記レートマッチングパラメータとを乗算することにより、各トランスポートチャネルに対し、前記レートマッチング比を求める第３のステップと、
前記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４のステップと、
この第４のステップにより求められた各トランスポートチャネルのビット数とレートマッチング前の当該トランスポートチャネルのビット数との差に基づき、前記レートマッチングにおける一時変分を求める第５のステップと、
前記一時変分によって求められるレートマッチング後の各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの無線フレーム当たりの中間変分を求め、前記送信時間間隔当たりの前記一時変分が前記送信時間間隔当たりの前記中間変分よりも大きい場合に、前記送信時間間隔当たりの前記中間変分を用いて前記送信時間間隔当たりの前記一時変分を修正する第６のステップと、
前記送信時間間隔当たりの前記一時変分に基づき、前記各トランスポートチャネルのデ
ータの少なくとも一部ビットを繰り返し又はパンクチャリングすることにより送信レートを変更するレートマッチングステップと、
レートマッチング後のデータを前記物理チャネルを介して前記基地局が送信する送信ステップと、
前記基地局が送信したデータを前記通信端末が受信するステップと、を備えたことを特徴とする通信チャネル設定方法。
【請求項２】
前記第６のステップは、
前記レートマッチングパラメータと前記レートマッチング前の各トランスポートチャネルの無線フレーム当たりのビット数との積により得られる第１番目から第ｍ番目までのトランスポートチャネルの無線フレーム当たりのビット数の部分和と全トランスポートチャネルの無線フレーム当たりのビット数の総和との比を求め、この比と前記最大物理レートとの積に基づいて、前記中間変分を修正することを特徴とする、請求項１に記載の通信チャネル設定方法。
【請求項３】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、前記基地局は、各トランスポートチャネルのデータに対して、送信レートを変更するレートマッチングを行う符号分割多元接続(CDMA)通信システムの通信チャネル設定方法において、
各トランスポートチャネルのレートマッチング比を制御するレートマッチングパラメータと各トランスポートチャネルの無線フレーム当たりのビット数とを乗算し、前記複数のトランスポートチャネルの組み合わせによって構成される複数の前記トランスポートチャネル複合体の速度推定量をそれぞれ求め、前記速度推定量の最大値を決定する第１のステップと、
前記速度推定量の最大値に対する前記最大物理レートの比を求める第２のステップと、
前記第２のステップにより求められた比と各トランスポートチャネルに対する前記レートマッチングパラメータとを乗算することにより、各トランスポートチャネルに対し、前記レートマッチング比を求める第３のステップと、
前記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４のステップと、
この第４のステップにより求められた各トランスポートチャネルのビット数とレートマッチング前の当該トランスポートチャネルのビット数との差に基づき、前記レートマッチングにおける一時変分を求める第５のステップと、
前記一時変分によって求められるレートマッチング後の各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの無線フレーム当たりの中間変分を求め、前記送信時間間隔当たりの前記一時変分が前記送信時間間隔当たりの前記中間変分よりも大きい場合に、前記送信時間間隔当たりの前記中間変分を用いて前記送信時間間隔当たりの前記一時変分を修正する第６のステップと、
前記送信時間間隔当たりの前記一時変分に基づき、前記各トランスポートチャネルのデータの少なくとも一部ビットを繰り返し又はパンクチャリングすることにより送信レートを変更するレートマッチングステップと、を備えたことを特徴とする通信チャネル設定方法。
【請求項４】
物理チャネルを用いて複数のトランスポートチャネルを有するトランスポートチャネル複合体を基地局から通信端末へ送信し、前記トランスポートチャネル複合体は１つの無線
フレームにおいて利用可能なビット数である最大物理レートを有し、前記基地局は、各トランスポートチャネルのデータに対して、送信レートを変更するレートマッチングを行う符号分割多元接続(CDMA)通信システムの通信チャネル設定方法において、
各トランスポートチャネルのレートマッチング比を制御するレートマッチングパラメータと各トランスポートチャネルの無線フレーム当たりのビット数とを乗算し、前記複数のトランスポートチャネルの組み合わせによって構成される複数の前記トランスポートチャネル複合体の速度推定量をそれぞれ求め、前記速度推定量の最大値を決定する第１のステップと、
前記速度推定量の最大値に対する前記最大物理レートの比を求める第２のステップと、
前記第２のステップにより求められた比と各トランスポートチャネルに対する前記レートマッチングパラメータとを乗算することにより、各トランスポートチャネルに対し、前記レートマッチング比を求める第３のステップと、
前記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４のステップと、
この第４のステップにより求められた各トランスポートチャネルのビット数とレートマッチング前の当該トランスポートチャネルのビット数との差に基づき、前記レートマッチングにおける一時変分を求める第５のステップと、
前記一時変分によって求められるレートマッチング後の各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの無線フレーム当たりの中間変分を求め、前記送信時間間隔当たりの前記一時変分が前記送信時間間隔当たりの前記中間変分よりも大きい場合に、前記送信時間間隔当たりの前記中間変分を用いて前記送信時間間隔当たりの前記一時変分を修正し、前記レートマッチングにおいて繰り返され又はパンクチャリングされるビット数を特定する第６のステップと、を備えたことを特徴とする通信チャネル設定方法。
【請求項５】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、前記基地局は、各トランスポートチャネルのデータに対して、送信レートを変更するレートマッチングを行う符号分割多元接続(CDMA)通信システムにおいて、
前記基地局は、
各トランスポートチャネルのレートマッチング比を制御するレートマッチングパラメータと各トランスポートチャネルの無線フレーム当たりのビット数とを乗算し、前記複数のトランスポートチャネルの組み合わせによって構成される複数の前記トランスポートチャネル複合体の速度推定量をそれぞれ求め、前記速度推定量の最大値を決定する第１の計算手段と、
前記速度推定量の最大値に対する前記最大物理レートの比を求める第２の計算手段と、
前記第２の計算手段により求められた比と各トランスポートチャネルに対する前記レートマッチングパラメータと乗算することにより、各トランスポートチャネルに対し、前記レートマッチング比を求める第３の計算手段と、
前記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４の計算手段と、
この第４の計算手段により求められた各トランスポートチャネルのビット数とレートマッチング前の当該トランスポートチャネルのビット数との差に基づき、前記レートマッチ
ングにおける一時変分を求める第５の計算手段と、
前記一時変分によって求められるレートマッチング後の各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの無線フレーム当たりの中間変分を求め、前記送信時間間隔当たりの前記一時変分が前記送信時間間隔当たりの前記中間変分よりも大きい場合に、前記送信時間間隔当たりの前記中間変分を用いて前記送信時間間隔当たりの前記一時変分を修正する修正手段と、
前記送信時間間隔当たりの前記一時変分に基づき、前記各トランスポートチャネルのデータの少なくとも一部ビットを繰り返し又はパンクチャリングすることにより送信レートを変更するレートマッチング手段と、
レートマッチング後のデータを前記物理チャネルを介して送信する送信手段と、を備え、
前記通信端末は、
前記基地局が送信したデータを受信する受信手段、を備えたことを特徴とする符号分割多元接続通信システム。
【請求項６】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更するレートマッチングを行う符号分割多元接続(CDMA)通信システムの基地局において、
各トランスポートチャネルのレートマッチング比を制御するレートマッチングパラメータと各トランスポートチャネルの無線フレーム当たりのビット数とを乗算し、前記複数のトランスポートチャネルの組み合わせによって構成される複数の前記トランスポートチャネル複合体の速度推定量をそれぞれ求め、前記速度推定量の最大値を決定する第１の計算手段と、
前記速度推定量の最大値に対する前記最大物理レートの比を求める第２の計算手段と、
前記第２の計算手段により求められた比と各トランスポートチャネルに対する前記レートマッチングパラメータとを乗算することにより、各トランスポートチャネルに対し、前記レートマッチング比を求める第３の計算手段と、
前記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４の計算手段と、
前記第４の計算手段により求められた各トランスポートチャネルのビット数と前記送信時間間隔当たりのレートマッチング前の当該トランスポートチャネルのビット数との差に基づき、前記レートマッチングにおける一時変分を求める第５の計算手段と、
前記一時変分によって求められるレートマッチング後の各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの無線フレーム当たりの中間変分を求め、前記送信時間間隔当たりの前記一時変分が前記送信時間間隔当たりの前記中間変分よりも大きい場合に、前記送信時間間隔当たりの前記中間変分を用いて前記送信時間間隔当たりの前記一時変分を修正する修正手段と、
前記送信時間間隔当たりの前記一時変分に基づき、前記各トランスポートチャネルのデータの少なくとも一部ビットを繰り返し又はパンクチャリングすることにより送信レートを変更するレートマッチング手段と、を備えたことを特徴とする基地局。
【請求項７】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更するレートマッチング手段を有する符号分割多元接続(CDMA)通信システムの通信端末において、
各トランスポートチャネルのレートマッチング比を制御するレートマッチングパラメータと各トランスポートチャネルの無線フレーム当たりのビット数とを乗算し、前記複数のトランスポートチャネルの組み合わせによって構成される複数の前記トランスポートチャネル複合体の速度推定量をそれぞれ求め、前記速度推定量の最大値を決定する第１の計算手段と、
前記速度推定量の最大値に対する前記最大物理レートの比を求める第２の計算手段と、
前記第２の計算手段により求められた比と各トランスポートチャネルに対する前記レートマッチングパラメータとを乗算することにより、各トランスポートチャネルに対し、前記レートマッチング比を求める第３の計算手段と、
前記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４の計算手段と、
前記第４の計算手段により求められた各トランスポートチャネルのビット数とレートマッチング前の当該トランスポートチャネルのビット数との差分を取ることにより一時変分を求める第５の計算手段と、
前記一時変分によって求められるレートマッチング後の各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの無線フレーム当たりの中間変分を求め、前記送信時間間隔当たりの前記一時変分が前記送信時間間隔当たりの前記中間変分よりも大きい場合に、前記送信時間間隔当たりの前記中間変分を用いて前記送信時間間隔当たりの前記一時変分を修正することにより、前記レートマッチング手段により使用された変分を特定する特定手段と、を備えたことを特徴とする通信端末。
【請求項８】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更する符号分割多元接続通信システムの通信装置において、
前記トランスポートチャネル複合体の速度推定量の最大値に対する前記最大物理レートの比と前記トランスポートチャネル毎に定められたレートマッチングパラメータとに基づいて、各トランスポートチャネルについてレートマッチング比を決定するレートマッチング比決定手段と、
前記レートマッチング比とレートマッチング前の各トランスポートチャネルの無線フレーム当たりのビット数とに基づいて、送信時間間隔当たりのビット数を各トランスポートチャネルについて決定し、前記送信時間間隔当たりのビット数とレートマッチング前の当該トランスポートチャネルのビット数とに基づいてレートマッチングにおける一時変分を求める変分決定手段と、
前記一時変分によって求められる各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの中間変分を求め、前記一時変分が前記中間変分
よりも大きい場合に、前記中間変分を用いて前記一時変分を修正する修正手段と、
前記一時変分に基づいて、各トランスポートチャネルのデータの一部ビットを繰り返し又はパンクチャリングするレートマッチング手段と、を備えたことを特徴とする通信装置。
【請求項９】
物理チャネルを用いて複数のトランスポートチャネルを有するトランスポートチャネル複合体を基地局から通信端末へ送信し、前記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更する符号分割多元接続通信システムの通信装置において、
前記トランスポートチャネル複合体の速度推定量の最大値に対する前記最大物理レートの比と前記トランスポートチャネル毎に定められたレートマッチングパラメータとに基づいて、各トランスポートチャネルについてレートマッチング比を決定するレートマッチング比決定手段と、
前記レートマッチング比とレートマッチング前の各トランスポートチャネルの無線フレーム当たりのビット数とに基づいて、送信時間間隔当たりのビット数を各トランスポートチャネルについて決定し、前記送信時間間隔当たりのビット数とレートマッチング前の当該トランスポートチャネルのビット数とに基づいてレートマッチングにおける一時変分を求める変分決定手段と、
前記一時変分によって求められる各トランスポートチャネルの無線フレーム当たりのビット数の総和が前記最大物理レートを超える場合に、前記レートマッチングパラメータと前記レートマッチング前の各トランスポートチャネルの無線フレーム当たりのビット数との積に基づき各トランスポートチャネルの中間変分を求め、前記一時変分が前記中間変分よりも大きい場合に、前記中間変分を用いて前記一時変分を修正する修正手段と、を備えたことを特徴とする通信装置。
【手続補正２】
【補正対象書類名】明細書
【補正対象項目名】００９８
【補正方法】変更
【補正の内容】
【００９８】
したがって、この発明の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、上記基地局は、各トランスポートチャネルのデータに対して、送信レートを変更するレートマッチングを行う符号分割多元接続(CDMA)通信システムの通信チャネル設定方法において、各トランスポートチャネルのレートマッチング比を制御するレートマッチングパラメータとレートマッチング前の各トランスポートチャネルの無線フレーム当たりのビット数とを乗算し、上記複数のトランスポートチャネルの組み合わせによって構成される複数の上記トランスポートチャネル複合体の速度推定量をそれぞれ求め、上記速度推定量の最大値を決定する第１のステップと、上記速度推定量の最大値に対する上記最大物理レートの比を求める第２のステップと、上記第２のステップにより求められた比と各トランスポートチャネルに対する上記レートマッチングパラメータとを乗算することにより、各トランスポートチャネルに対し、上記レートマッチング比を求める第３のステップと、上記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４のステップと、この第４のステップにより求められた各トランスポートチャネルのビット数とレートマッチング前の当該トランスポートチャネルのビット数との差に基づき
、上記レートマッチングにおける一時変分を求める第５のステップと、上記一時変分によって求められるレートマッチング後の各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数との積に基づき各トランスポートチャネルの無線フレーム当たりの中間変分を求め、上記送信時間間隔当たりの上記一時変分が上記送信時間間隔当たりの上記中間変分よりも大きい場合に、上記送信時間間隔当たりの上記中間変分を用いて上記送信時間間隔当たりの上記一時変分を修正する第６のステップと、上記送信時間間隔当たりの上記一時変分に基づき、上記各トランスポートチャネルのデータの少なくとも一部ビットを繰り返し又はパンクチャリングすることにより送信レートを変更するレートマッチングステップと、レートマッチング後のデータを上記物理チャネルを介して上記基地局が送信する送信ステップと、上記基地局が送信したデータを上記通信端末が受信するステップと、を備えたことを特徴とする方法である。
好ましくは、上記第６のステップは、上記レートマッチングパラメータと上記レートマッチング前の各トランスポートチャネルの無線フレーム当たりのビット数との積により得られる第１番目から第ｍ番目までのトランスポートチャネルの無線フレーム当たりのビット数の部分和と全トランスポートチャネルの無線フレーム当たりのビット数の総和との比を求め、この比と上記最大物理レートとの積に基づいて、上記中間変分を修正することを特徴とする。
【手続補正３】
【補正対象書類名】明細書
【補正対象項目名】００９９
【補正方法】変更
【補正の内容】
【００９９】
この発明の別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、上記基地局は、各トランスポートチャネルのデータに対して、送信レートを変更するレートマッチングを行う符号分割多元接続(CDMA)通信システムの通信チャネル設定方法において、各トランスポートチャネルのレートマッチング比を制御するレートマッチングパラメータと各トランスポートチャネルの無線フレーム当たりのビット数とを乗算し、上記複数のトランスポートチャネルの組み合わせによって構成される複数の上記トランスポートチャネル複合体の速度推定量をそれぞれ求め、上記速度推定量の最大値を決定する第１のステップと、上記速度推定量の最大値に対する上記最大物理レートの比を求める第２のステップと、上記第２のステップにより求められた比と各トランスポートチャネルに対する上記レートマッチングパラメータとを乗算することにより、各トランスポートチャネルに対し、上記レートマッチング比を求める第３のステップと、上記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４のステップと、この第４のステップにより求められた各トランスポートチャネルのビット数とレートマッチング前の当該トランスポートチャネルのビット数との差に基づき、上記レートマッチングにおける一時変分を求める第５のステップと、上記一時変分によって求められるレートマッチング後の各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数との積に基づき各トランスポートチャネルの無線フレーム当たりの中間変分を求め、上記送信時間間隔当たりの上記一時変分が上記送信時間間隔当たりの上記中間変分よりも大きい場合に、上記送信時間間隔当たりの上記中間変分を用いて上記送信時間間隔当たりの上記一時変分を修正する第６のス
テップと、上記送信時間間隔当たりの上記一時変分に基づき、上記各トランスポートチャネルのデータの少なくとも一部ビットを繰り返し又はパンクチャリングすることにより送信レートを変更するレートマッチングステップと、を備えたことを特徴とする。
【手続補正４】
【補正対象書類名】明細書
【補正対象項目名】０１００
【補正方法】変更
【補正の内容】
【０１００】
この発明のさらに別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、上記基地局は、各トランスポートチャネルのデータに対して、送信レートを変更するレートマッチングを行う符号分割多元接続(CDMA)通信システムの通信チャネル設定方法において、各トランスポートチャネルのレートマッチング比を制御するレートマッチングパラメータと各トランスポートチャネルの無線フレーム当たりのビット数とを乗算し、上記複数のトランスポートチャネルの組み合わせによって構成される複数の上記トランスポートチャネル複合体の速度推定量をそれぞれ求め、上記速度推定量の最大値を決定する第１のステップと、上記速度推定量の最大値に対する上記最大物理レートの比を求める第２のステップと、上記第２のステップにより求められた比と各トランスポートチャネルに対する上記レートマッチングパラメータとを乗算することにより、各トランスポートチャネルに対し、上記レートマッチング比を求める第３のステップと、上記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４のステップと、この第４のステップにより求められた各トランスポートチャネルのビット数とレートマッチング前の当該トランスポートチャネルのビット数との差に基づき、上記レートマッチングにおける一時変分を求める第５のステップと、上記一時変分によって求められるレートマッチング後の各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数との積に基づき各トランスポートチャネルの無線フレーム当たりの中間変分を求め、上記送信時間間隔当たりの上記一時変分が上記送信時間間隔当たりの上記中間変分よりも大きい場合に、上記送信時間間隔当たりの上記中間変分を用いて上記送信時間間隔当たりの上記一時変分を修正し、上記レートマッチングにおいて繰り返され又はパンクチャリングされるビット数を特定する第６のステップと、を備えたことを特徴とする。
【手続補正５】
【補正対象書類名】明細書
【補正対象項目名】０１０１
【補正方法】変更
【補正の内容】
【０１０１】
この発明のさらに別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、上記基地局は、各トランスポートチャネルのデータに対して、送信レートを変更するレートマッチングを行う符号分割多元接続(CDMA)通信システムにおいて、上記基地局は、各トランスポートチャネルのレートマッチング比を制御するレートマッチングパラメータと各トランスポートチャネルの無線フレーム当たりのビット数とを乗算し、上記複数のトランスポートチャネルの組み合わせによって構成される複数の上記トランスポート
チャネル複合体の速度推定量をそれぞれ求め、上記速度推定量の最大値を決定する第１の計算手段と、上記速度推定量の最大値に対する上記最大物理レートの比を求める第２の計算手段と、上記第２の計算手段により求められた比と各トランスポートチャネルに対する上記レートマッチングパラメータと乗算することにより、各トランスポートチャネルに対し、上記レートマッチング比を求める第３の計算手段と、上記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４の計算手段と、この第４の計算手段により求められた各トランスポートチャネルのビット数とレートマッチング前の当該トランスポートチャネルのビット数との差に基づき、上記レートマッチングにおける一時変分を求める第５の計算手段と、上記一時変分によって求められるレートマッチング後の各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数との積に基づき各トランスポートチャネルの無線フレーム当たりの中間変分を求め、上記送信時間間隔当たりの上記一時変分が上記送信時間間隔当たりの上記中間変分よりも大きい場合に、上記送信時間間隔当たりの上記中間変分を用いて上記送信時間間隔当たりの上記一時変分を修正する修正手段と、上記送信時間間隔当たりの上記一時変分に基づき、上記各トランスポートチャネルのデータの少なくとも一部ビットを繰り返し又はパンクチャリングすることにより送信レートを変更するレートマッチング手段と、レートマッチング後のデータを上記物理チャネルを介して送信する送信手段と、を備え、上記通信端末は、上記基地局が送信したデータを受信する受信手段、を備えたことを特徴とする。
【手続補正６】
【補正対象書類名】明細書
【補正対象項目名】０１０２
【補正方法】変更
【補正の内容】
【０１０２】
この発明のさらに別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更するレートマッチングを行う符号分割多元接続(CDMA)通信システムの基地局において、各トランスポートチャネルのレートマッチング比を制御するレートマッチングパラメータと各トランスポートチャネルの無線フレーム当たりのビット数とを乗算し、上記複数のトランスポートチャネルの組み合わせによって構成される複数の上記トランスポートチャネル複合体の速度推定量をそれぞれ求め、上記速度推定量の最大値を決定する第１の計算手段と、上記速度推定量の最大値に対する上記最大物理レートの比を求める第２の計算手段と、上記第２の計算手段により求められた比と各トランスポートチャネルに対する上記レートマッチングパラメータとを乗算することにより、各トランスポートチャネルに対し、上記レートマッチング比を求める第３の計算手段と、上記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４の計算手段と、上記第４の計算手段により求められた各トランスポートチャネルのビット数と上記送信時間間隔当たりのレートマッチング前の当該トランスポートチャネルのビット数との差に基づき、上記レートマッチングにおける一時変分を求める第５の計算手段と、上記一時変分によって求められるレートマッチング後の各トランスポートチャネルの無線フレーム当たりのビット数の総和が上記最大物理レートを超える場合に、上記レートマッチングパラメータと上記レートマッチ
ング前の各トランスポートチャネルの無線フレーム当たりのビット数との積に基づき各トランスポートチャネルの無線フレーム当たりの中間変分を求め、上記送信時間間隔当たりの上記一時変分が上記送信時間間隔当たりの上記中間変分よりも大きい場合に、上記送信時間間隔当たりの上記中間変分を用いて上記送信時間間隔当たりの上記一時変分を修正する修正手段と、上記送信時間間隔当たりの上記一時変分に基づき、上記各トランスポートチャネルのデータの少なくとも一部ビットを繰り返し又はパンクチャリングすることにより送信レートを変更するレートマッチング手段と、を備えたことを特徴とする。
この発明のさらに別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更するレートマッチング手段を有する符号分割多元接続(CDMA)通信システムの通信端末において、各トランスポートチャネルのレートマッチング比を制御するレートマッチングパラメータと各トランスポートチャネルの無線フレーム当たりのビット数とを乗算し、上記複数のトランスポートチャネルの組み合わせによって構成される複数の上記トランスポートチャネル複合体の速度推定量をそれぞれ求め、上記速度推定量の最大値を決定する第１の計算手段と、上記速度推定量の最大値に対する上記最大物理レートの比を求める第２の計算手段と、上記第２の計算手段により求められた比と各トランスポートチャネルに対する上記レートマッチングパラメータとを乗算することにより、各トランスポートチャネルに対し、上記レートマッチング比を求める第３の計算手段と、上記レートマッチング比と各トランスポートチャネルの無線フレーム当たりのビット数とを乗算するとともに、乗算結果と当該トランスポートチャネルの送信時間間隔当たりの無線フレーム数とを乗算することにより、各トランスポートチャネルのビット数を求める第４の計算手段と、上記第４の計算手段により求められた各トランスポートチャネルのビット数とレートマッチング前の当該トランスポートチャネルのビット数との差分を取ることにより一時変分を求める第５の計算手段と、上記一時変分によって求められるレートマッチング後の各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数との積に基づき各トランスポートチャネルの無線フレーム当たりの中間変分を求め、上記送信時間間隔当たりの上記一時変分が上記送信時間間隔当たりの上記中間変分よりも大きい場合に、上記送信時間間隔当たりの上記中間変分を用いて上記送信時間間隔当たりの上記一時変分を修正することにより、上記レートマッチング手段により使用された変分を特定する特定手段と、を備えたことを特徴とする。
この発明のさらに別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更する符号分割多元接続通信システムの通信装置において、上記トランスポートチャネル複合体の速度推定量の最大値に対する上記最大物理レートの比と上記トランスポートチャネル毎に定められたレートマッチングパラメータとに基づいて、各トランスポートチャネルについてレートマッチング比を決定するレートマッチング比決定手段と、上記レートマッチング比とレートマッチング前の各トランスポートチャネルの無線フレーム当たりのビット数とに基づいて、送信時間間隔当たりのビット数を各トランスポートチャネルについて決定し、上記送信時間間隔当たりのビット数とレートマッチング前の当該トランスポートチャネルのビット数とに基づいてレートマッチングにおける一時変分を求める変分決定手段と、上記一時変分によって求められる各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数と
の積に基づき各トランスポートチャネルの中間変分を求め、上記一時変分が上記中間変分よりも大きい場合に、上記中間変分を用いて上記一時変分を修正する修正手段と、上記一時変分に基づいて、各トランスポートチャネルのデータの一部ビットを繰り返し又はパンクチャリングするレートマッチング手段と、を備えたことを特徴とする。
この発明のさらに別の主題は、物理チャネルを用いて複数のトランスポートチャネルを有するトランスポートチャネル複合体を基地局から通信端末へ送信し、上記トランスポートチャネル複合体は１つの無線フレームにおいて利用可能なビット数である最大物理レートを有し、各トランスポートチャネルのデータに対して、各トランスポートチャネルのデータの一部ビットを繰り返し又はパンクチャリングすることにより送信レートを変更する符号分割多元接続通信システムの通信装置において、上記トランスポートチャネル複合体の速度推定量の最大値に対する上記最大物理レートの比と上記トランスポートチャネル毎に定められたレートマッチングパラメータとに基づいて、各トランスポートチャネルについてレートマッチング比を決定するレートマッチング比決定手段と、上記レートマッチング比とレートマッチング前の各トランスポートチャネルの無線フレーム当たりのビット数とに基づいて、送信時間間隔当たりのビット数を各トランスポートチャネルについて決定し、上記送信時間間隔当たりのビット数とレートマッチング前の当該トランスポートチャネルのビット数とに基づいてレートマッチングにおける一時変分を求める変分決定手段と、
上記一時変分によって求められる各トランスポートチャネルの無線フレーム当たりのビット数の総和が上記最大物理レートを超える場合に、上記レートマッチングパラメータと上記レートマッチング前の各トランスポートチャネルの無線フレーム当たりのビット数との積に基づき各トランスポートチャネルの中間変分を求め、上記一時変分が上記中間変分よりも大きい場合に、上記中間変分を用いて上記一時変分を修正する修正手段と、を備えたことを特徴とする。
この発明は、ただ例示の目的で示され、かつ添付の図面に関連して提示される以下の説明からよりよく理解されるであろう。